(57)【要約】      （修正有）【課題】ＬＥＤ灯において、大容量のＬＥＤ集積灯具を提供する。【解決手段】光を透過する外管２の内部に、ＬＥＤ灯３を１個以上複数個設けた一体化されたＬＥＤ集積灯具１において、ＬＥＤ集積灯具１の一端には、外部電源と連通した通電端部５と、他端には非通電端部７を設け、過電流によるＬＥＤ灯の破損を防止するため、ＬＥＤ集積灯具１、又は従来の蛍光灯取付具のいずれかに、過剰電流により回路を切断し、温度が下がると回路を復活接続する電流制限サーモスタット１２、又は、過剰電流により回路を切断するヒューズ１３、又はアイゼロ方式漏電遮断器１４ａ、又はアイジーアール方式漏電遮断器１４ｂを、設けることにより過熱を防止し、ＬＥＤ灯３を保護することを特徴とするＬＥＤ集積灯具１を提供する。【選択図】図２
2011086602.tif 000002
【特許請求の範囲】
【請求項１】
合成樹脂製、又はガラス製の光を透過する外管の内部に、ＬＥＤ灯を１個以上複数個設けた一体化されたＬＥＤ集積灯具において、
ＬＥＤ集積灯具の一端には、外部電源と連通した一対の通電ピンを設けた通電端部と、他端には通電を行わない非通電端部を設け、過電流によるＬＥＤ灯の破損を防止するため、ＬＥＤ集積灯具、又は従来の蛍光灯取付具のいずれかに、
過剰電流による内部測定温度が所定の制限値を超えると回路を切断し、内部測定温度が、所定の設定値に温度低下したときに回路を復活接続する電流制限サーモスタット、
又は過剰電流が、所定の制限値を超えると回路を切断するヒューズ、
又は過剰電流が、所定の制限値を超えると回路を切断するアイゼロ（Ｉ０）方式漏電遮断器、
又は過剰電流が、所定の制限値を超えると回路を切断するアイジーアール（ＩＧＲ）方式漏電遮断器を、設けることにより
過熱事故、漏電事故を防止することによりＬＥＤ灯を保護することを特徴とするＬＥＤ集積灯具。
【請求項２】
前記外管の内側には、基板を保持する保持具が外管に対し回転自在に設けられ、該保持具の一部に設けられた回転用具を押し引きすることにより照射角度を調節できることを特徴とする請求項１記載のＬＥＤ集積灯具。
【請求項３】
前記外管の内側には、基板を保持する保持具が外管に対し回転自在に設けられ、該保持具の一部に金属、又は磁石等の磁性体が固定され、外管の外表面に、磁石棒を近接させ、相互の磁力により押し引きすることにより保持具を回転させ、照射角度を調節できることを特徴とする請求項１記載のＬＥＤ集積灯具。
【請求項４】
前記通電端部が接続された通電ソケットと、非通電ソケットは、ソケット本体部と、内筒部とにより構成され、固定されたソケット本体部に対し、内筒部を回転自在に構成することにより照射角度を調節できることを特徴とする請求項１記載のＬＥＤ集積灯具。
【請求項５】
前記通電端部が接続された通電ソケットのピン受け部は、通電ソケットのソケット本体部に対し着脱自在に構成され、可撓電線により通電状態を維持したまま、照射位置を変えることが出来ることを特徴とする請求項１、又は請求項２、又は請求項３、又は請求項４記載のＬＥＤ集積灯具。
【請求項６】
前記通電端部が接続された通電ソケットのピン受け部は、通電ソケットのソケット本体部に対し旋回自在に構成され、通電状態を維持したまま、照射位置を変えることが出来ることを特徴とする請求項１、又は請求項２、又は請求項３、又は請求項４、又は請求項５記載のＬＥＤ集積灯具。
【請求項７】
ＬＥＤ集積灯具は、対象部位の明るさを計測する照度計と連結され、目的とする明るさに対し、照度の不足する分だけ電流または電圧を調整し、明るさを確保するコントローラーにより照度を調節し、省エネルギー機能を有することを特徴とする請求項１、又は請求項２、又は請求項３、又は請求項４、又は請求項５、又は請求項６記載のＬＥＤ集積灯具。
【請求項８】
前記通電端部は、従来の蛍光灯取付具の通電ソケットに変えて、少なくとも２個以上複数個のＬＥＤ集積灯具を取付けられる複数口取付具が取付けられ、ＬＥＤ集積灯具を、並列、又は直列に連結したことを特徴とする請求項１、又は請求項２、又は請求項３、又は請求項４、又は請求項５、又は請求項６、又は請求項７記載のＬＥＤ集積灯具。
【請求項９】
ＬＥＤ灯が取付けられた基板は、平板状、又は曲面状、又は多角形状に、形成されることにより照射範囲を広くすることを特徴とする請求項１、または請求項２、又は請求項３、又は請求項４、又は請求項５、又は請求項６、又は請求項７、又は請求項８記載のＬＥＤ集積灯具。
【請求項１０】
ＬＥＤ灯の端子は、金属製、又は導電性樹脂製の可撓性を有する可撓部材に接触して通電可能に構成したことを特徴とする請求項１、又は請求項２、又は請求項３、又は請求項４、又は請求項５、又は請求項６、又は請求項７、又は請求項８、又は請求項９記載のＬＥＤ集積灯具。
【請求項１１】
高輝度のアルミン酸ストロンチウム蓄光体を使用した蓄光外管１００を設けた構造、及び／又は外管２の内周に蓄光フィルム１０１を配置し、張付、挿入、若しくは印刷、塗布等により設けた構造、及び／又は外管の外面に、蓄光フィルム１０２、１０２ａ、１０２ｂを外接配置し、張付、若しくは印刷、塗布等により設けた構造、及び／又は基板６の上面に蓄光体被膜１０３を配置し、張付、印刷、塗布等により基板６に固定した構造とすることにより、ＬＥＤ灯の消燈時、又は減光時に、明るさを補うことより室内における非常時の非常灯、及び／又は避難誘導灯としての利便性を高めたことを特徴とする請求項１、又は請求項２、又は請求項３、又は請求項４、又は請求項５、又は請求項６、又は請求項７、又は請求項８、又は請求項９、又は請求項１０記載のＬＥＤ集積灯具。
【請求項１２】
ＬＥＤ灯の表面、及び／又はＬＥＤ集積灯具の表面、及び／又はＬＥＤ集積灯具の取付具の表面に、リン酸チタニア系無光触媒を設けたことを特徴とする請求項１、又は請求項２、又は請求項３、又は請求項４、又は請求項５、又は請求項６、又は請求項７、又は請求項８、又は請求項９、又は請求項１０、又は請求項１１記載のＬＥＤ集積灯具。
【発明の詳細な説明】
【技術分野】
【０００１】  本発明は、照明等に用いる発光ダイオード灯（以下ＬＥＤ灯とよぶ）による灯具に関する。
【背景技術】
【０００２】  従来より、照明等に用いる灯具は、白熱灯、蛍光灯、及びそれらの取付器具が供給されてきた。
特に近年、地球温暖化防止のため、消費電力の少ない灯具が望まれ、白熱灯は、蛍光灯に置き換えられてきている。更に、最近は、ＬＥＤ灯が開発され、小規模の照明に関しては、使用されてきているが、広い範囲の照明に関しては、光量が小さいため、十分な照明効果が得られず、大容量かつ安全なＬＥＤ灯を多数集積したＬＥＤ集積灯具の開発が望まれていた。【０００３】  又、ＬＥＤ集積灯具の開発に関連して、蓄光体による利便性や、最近特に発達してきたリン酸チタニア系無光触媒（以下「無光触媒」という）の優れた消臭、抗菌、防かび、防汚染等の機能を付加した灯具が望まれていた。【０００４】また、従来の面積の広い照明は、蛍光灯が多用されており、それを取付ける器具も、広く使用されているため、ＬＥＤ集積灯具が、開発されても、それらの取付器具の交換を必要とするため、その交換には、多くの手間と、コストの掛かるものとなっていた。
【発明の概要】
【発明が解決しようとする課題】
【０００５】  本発明は、これらの問題を解消しようとするＬＥＤ集積灯具を提供するものである。
【課題を解決するための手段】
【０００６】  合成樹脂製、又はガラス製の光を透過する外管の内部に、ＬＥＤ灯を１個以上複数個設けた一体化されたＬＥＤ集積灯具において、
ＬＥＤ集積灯具の一端には、外部電源と連通した一対の通電ピンを設けた通電端部と、他端には通電を行わない非通電端部を設け、過電流によるＬＥＤ灯の破損を防止するため、ＬＥＤ集積灯具、又は従来の蛍光灯取付具のいずれかに、
過剰電流による内部測定温度が所定の制限値を超えると回路を切断し、内部測定温度が、所定の設定値に温度低下したときに回路を復活接続する電流制限サーモスタット、
又は過剰電流が、所定の制限値を超えると回路を切断するヒューズ、
又は過剰電流が、所定の制限値を超えると回路を切断するアイゼロ（Ｉ０）方式漏電遮断器、
又は過剰電流が、所定の制限値を超えると回路を切断するアイジーアール（ＩＧＲ）方式漏電遮断器を、設けることにより
過熱事故、漏電事故を防止することによりＬＥＤ灯を保護することを特徴とするＬＥＤ集積灯具を提供する。【０００７】  前記外管の内側には、基板を保持する保持具が外管に対し回転自在に設けられ、該保持具の一部に設けられた回転用具を押し引きすることにより照射角度を調節できることを特徴とする請求項１記載のＬＥＤ集積灯具を提供する。【０００８】  前記外管の内側には、基板を保持する保持具が外管に対し回転自在に設けられ、該保持具の一部に金属、又は磁石等の磁性体が固定され、外管の外表面に、磁石棒を近接させ、相互の磁力により押し引きすることにより保持具を回転させ、照射角度を調節できることを特徴とする請求項１記載のＬＥＤ集積灯具を提供する。【０００９】  前記通電端部が接続された通電ソケットと、非通電ソケットは、ソケット本体部と、内筒部とにより構成され、固定されたソケット本体部に対し、内筒部を回転自在に構成することにより照射角度を調節できることを特徴とする請求項１記載のＬＥＤ集積灯具を提供する。【００１０】  前記通電端部が接続された通電ソケットのピン受け部は、通電ソケットのソケット本体部に対し着脱自在に構成され、可撓電線により通電状態を維持したまま、照射位置を変えることが出来ることを特徴とする請求項１、又は請求項２、又は請求項３、又は請求項４記載のＬＥＤ集積灯具を提供する。【００１１】  前記通電端部が接続された通電ソケットのピン受け部は、通電ソケットのソケット本体部に対し旋回自在に構成され、通電状態を維持したまま、照射位置を変えることが出来ることを特徴とする請求項１、又は請求項２、又は請求項３、又は請求項４、又は請求項５記載のＬＥＤ集積灯具を提供する。【００１２】  ＬＥＤ集積灯具は、対象部位の明るさを計測する照度計と連結され、目的とする明るさに対し、照度の不足する分だけ電流または電圧を調整し、明るさを確保するコントローラーにより照度を調節し、省エネルギー機能を有することを特徴とする請求項１、又は請求項２、又は請求項３、又は請求項４、又は請求項５、又は請求項６記載のＬＥＤ集積灯具を提供する。【００１３】  前記通電端部は、従来の蛍光灯取付具の通電ソケットに変えて、少なくとも２個以上複数個のＬＥＤ集積灯具を取付けられる複数口取付具が取付けられ、ＬＥＤ集積灯具を、並列、又は直列に連結したことを特徴とする請求項１、又は請求項２、又は請求項３、又は請求項４、又は請求項５、又は請求項６、又は請求項７記載のＬＥＤ集積灯具を提供する。【００１４】  ＬＥＤ灯が取付けられた基板は、平板状、又は曲面状、又は多角形状に、形成されうことにより照射範囲を広くすることを特徴とする請求項１、または請求項２、又は請求項３、又は請求項４、又は請求項５、又は請求項６、又は請求項７、又は請求項８記載のＬＥＤ集積灯具を提供する。【００１５】ＬＥＤ灯の端子は、金属製、又は導電性樹脂製の可撓性を有する可撓部材に接触して通電可能に構成したことを特徴とする請求項１、又は請求項２、又は請求項３、又は請求項４、又は請求項５、又は請求項６、又は請求項７、又は請求項８、又は請求項９記載のＬＥＤ集積灯具を提供する。【００１６】  高輝度のアルミン酸ストロンチウム蓄光体を使用した蓄光外管１００を設けた構造、及び／又は外管２の内周に蓄光フィルム１０１を配置し、張付、挿入、若しくは印刷、塗布等により設けた構造、及び／又は外管の外面に、蓄光フィルム１０２、１０２ａ、１０２ｂを外接配置し、張付、若しくは印刷、塗布等により設けた構造、及び／又は基板６の上面に蓄光体被膜１０３を配置し、張付、印刷、塗布等により基板６に固定した構造とすることにより、ＬＥＤ灯の消燈時、又は減光時に、明るさを補うことより室内における非常時の非常灯、及び／又は避難誘導灯としての利便性を高めたことを特徴とする請求項１、又は請求項２、又は請求項３、又は請求項４、又は請求項５、又は請求項６、又は請求項７、又は請求項８、又は請求項９、又は請求項１０記載のＬＥＤ集積灯具を提供する。【００１７】ＬＥＤ灯の表面、及び／又はＬＥＤ集積灯具の表面、及び／又はＬＥＤ集積灯具の取付具の表面に、リン酸チタニア系無光触媒を設けたことを特徴とする請求項１、又は請求項２、又は請求項３、又は請求項４、又は請求項５、又は請求項６、又は請求項７、又は請求項８、又は請求項９、又は請求項１０、又は請求項１１記載のＬＥＤ灯具を提供する。
【発明の効果】
【００１８】（１）過剰電流による内部測定温度が所定の制限値を超えると回路を切断し、内部測定温度が、所定の設定値に温度低下したときに回路を復活接続する電流制限サーモスタット、又は過剰電流が、所定の制限値を超えると回路を切断するヒューズ、又は過剰電流が、所定の制限値を超えると回路を切断するアイゼロ（Ｉ０）方式漏電遮断器、又は過剰電流が、所定の制限値を超えると回路を切断するアイジーアール（ＩＧＲ）方式漏電遮断器を、設けることにより、過熱事故、漏電事故を防止することによりＬＥＤ灯を保護することが出来る。
（２）従来の蛍光灯取付具６０を交換、又は改造することなく、ＬＥＤ灯に変更できるため、器具の改造工事を行うことなく容易に切り替えが出来る。
（３）保持具２０の回転用具２１のリング部２１ａを調整棒２３で、押し引きすることにより照射角度を容易に調節できるように構成されている。
（４）回転用具２１には、シール板２４が取付けられ、塵埃や水等の侵入を防いでいる。
（５）保持具２０の一部に、金属、又は磁石等の磁性体が、固定され、外管の外面付近に磁石棒を近づけ、それらの磁石の吸引力により照射角度を調節できるように構成されている。
（６）通電ソケット３０と、非通電ソケット３１は、ソケット本体部３２と、内筒部３３とにより構成され、固定されたソケット本体部３２に対し、内筒部３３は、可撓電線３４により電気的に連結され、内筒部３３を回転自在に構成することにより照射角度を調節できる。
（７）通電ソケット３６のピン受け部３７は、通電ソケットのソケット本体部３８に対し着脱自在に構成され、作業時、ＬＥＤ集積灯具１を手で持って、保守箇所を照らすことが可能となるため、懐中電灯を持参することなく任意の位置を照射でき、実際の作業現場では、きわめて有効となる。
（８）ピン受け部４０は、通電ソケット３９のソケット本体部４１に対し旋回自在に構成され、可撓電線３４により通電状態を維持したまま、照射位置を変えることが出来、近接する保守箇所を照射することが出来るため、懐中電灯を持参することなく任意の位置を照射でき、実際の作業現場では、きわめて有効となるためである。
（９）ＬＥＤ集積灯具１は、照度計４５と連結され、目的とする明るさに対し、照度の不足する分だけ電流または電圧を調整し、明るさを確保するコントローラー４６により、明るさが十分な場合は省エネルギーのため発光ダイオード３の照度を減らし、夜間等で、光量が不足した時は、その度合に応じた照度とすることが出来る。
（１０）従来の蛍光灯取付具６０の従来の通電ソケット６１を取外し、二口の複数口取付具４７により、二つのＬＥＤ集積灯具１を並列、又は直列に連結され、一つの従来の蛍光灯取付具６０に対し複数個のＬＥＤ集積灯具１を取付けることが可能となる。
（１１）三口取付具、四口取付具等の複数口取付具により、３灯以上のＬＥＤ集積灯具１を並列、又は直列に取付けることが出来、実用上従来の蛍光灯取付具６０を取り替えることなく、建物内の配線を改造することなく、通電ソケットの交換だけで光量を増加することが出来るきわめて工事費の安い構造を提供できる。
（１２）ＬＥＤ灯３は、曲面基板、又は多角形基板に取付けることにより広範囲の照肘角度を得ることが出来る。
（１３）ＬＥＤ灯３の端子３ａは、金属製、又は導電性樹脂製の可撓性を有する可撓部材に接触して通電可能に構成されているため、基板にロー付け、又は溶接取付することなく取付けられ、きわめて能率的に取付け取外しが可能となるのである。この構成は、他の実施例にも適用できるものである。
（１４）ＬＥＤ集積灯具１は、安定器を必要としないので小型の蛍光灯取付具とすることが出来るのである。
（１５）高輝度のアルミン酸ストロンチウム蓄光体を使用した蓄光外管１００を設けることにより、ＬＥＤ灯の消燈時、又は減光時に、明るさを補うことより室内における非常時の非常灯、及び／又は避難誘導灯としての利便性を高めることができる。
（１６）外管２の内周に蓄光フィルム１０１を配置し張付、挿入、若しくは印刷、塗布等により設けたことにより、外管２の交換をすることなくＬＥＤ灯の消燈時、又は減光時に、明るさを補うことより室内における非常時の非常灯、及び／又は避難誘導灯としての利便性を高めることができる。
（１７）外管の外面に、蓄光フィルム１０２、１０２ａ、１０２ｂを外接配置し、張付、若しくは印刷、塗布等により設けた構造、基板６の上面に蓄光体被膜１０３を配置し、張付、印刷、塗布等により基板６に固定した構造とすることにより、ＬＥＤ灯の消燈時、又は減光時に、明るさを補うことより室内における非常時の非常灯、及び／又は避難誘導灯としての利便性を高めることができる。
（１８）基板６の上面に蓄光体被膜１０３を配置し、印刷、塗布、張付等により基板６に固定した構造とすることにより基板６を交換することなく、従来からの外管２の透明性を確保しながら効果が発揮でき、ＬＥＤ灯の消燈時、又は減光時に、明るさを補うことより室内における非常時の非常灯、及び／又は避難誘導灯としての利便性を高めることができる。
（１９）リン酸チタニア系無光触媒（以下「無光触媒」という）をＬＥＤ灯の表面、ＬＥＤ集積灯具の表面、及び／又は、ＬＥＤ集積灯具の取付具の表面に、設けることにより、消臭、抗菌、防かび、防汚染等の環境改善機能を発揮するものである。
（２０）特に、ＬＥＤ灯の点灯時には、熱を発生するので、空気中に、対流が発生し、この拡散効果により、前述の環境改善効果を、大幅に付与できる画期的な灯具を開発することができた。
【図面の簡単な説明】
【００１９】
【図１】実施例１の照明用灯具の全体断面図である。
【図２】実施例２の回転式の照明用灯具の全体断面図である。
【図３】実施例２の断面Ａ−Ａを示す断面図である。
【図４】実施例２の通電端部の分解斜視図である。
【図５】実施例２の非通電端部の分解斜視図である。
【図６】実施例３の磁石回転式の照明用灯具の全体断面図である。
【図７】実施例３の断面Ｂ−Ｂを示す断面図である。
【図８】実施例３の通電端部の分解斜視図である。
【図９】実施例４の回転式の照明用灯具の全体断面図である。
【図１０】実施例４のＣ−Ｃ断面図である。
【図１１】実施例５の着脱式の照明用灯具の全体断面図である。
【図１２】実施例６の旋回式の照明用灯具の全体断面図である。
【図１３】実施例７の照度コントロール式の灯具の全体断面図である。
【図１４】実施例８の取外し作業を示す斜視図である。
【図１５】実施例８の取付作業を示す斜視図である。
【図１６】実施例９の曲面基板２５を示す断面図である。
【図１７】実施例１０及び実施例１１を示す断面図である。
【図１８】実施例１２の蓄光外管を用いた照明用灯具の全体断面図である。
【図１９】図１８の長手方向に直角な断面図である。
【図２０】図１８の一部を切り欠いた全体斜視図である。
【図２１】実施例１２の蓄光フィルムを用いた照明用灯具の全体断面図である。
【図２２】図２１の長手方向に直角な断面図である。
【図２３】図２１の一部を切り欠いた全体斜視図である。
【図２４】実施例１２の蓄光フィルムを用いた照明用灯具の全体断面図である。
【図２５】図２４の長手方向に直角な断面図である。
【図２６】図２４の一部を切り欠いた全体斜視図である。
【図２７】実施例１２の蓄光体被膜を用いた照明用灯具の全体断面図である。
【図２８】図２７の長手方向に直角な断面図である。
【図２９】図２７の一部を切り欠いた全体斜視図である。
【図３０】実施例１３の断面図である。
【図３１】図３０のＤ−Ｄ断面図である。
【図３２】図３０の一部を切り欠いた斜視図である。
【図３３】実施例１３の無光触媒層１１０を透光部を含めて設けた断面図である。
【図３４】放熱板を設けた実施例１３の断面図である。
【図３５】放熱板を設けた実施例１３の一部を切り欠いた斜視図である。
【図３６】ダウンライト型ＬＥＤ灯具の全体斜視図である。
【発明を実施するための形態】
【００２０】  本発明は、発明の効果に前述した如く、ＬＥＤ灯を、過熱より保護し長寿命を達成すると共に、広範囲の照射を可能にした画期的な照明用灯具を提供するものである。
なお、本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【実施例１】
【００２１】  以下、本発明の実施例について、図面を参照しながら説明する。
図１は、本発明の実施例１の全体断面図である。
ＬＥＤ集積灯具１は、合成樹脂製、又はガラス製の光を透過する外管２の内部に、ＬＥＤ灯３を１個以上複数個設けた一体化されている。
ＬＥＤ集積灯具１の一端には、従来の蛍光灯取付具６０の通電ソケット６１に挿し込まれ、電源６２と連通した一対の通電ピン４を設けた通電端部５と、他端には通電を行わない非通電端部７を設け、過電流によるＬＥＤ灯３の破損を防止するため、ＬＥＤ集積灯具１、又は従来の蛍光灯取付具６０のいずれかに、過剰電流による内部測定温度が所定の制限値を超えると回路を切断し、内部測定温度が、所定の設定値に温度低下したときに回路を復活接続する電流制限サーモスタット１２を設ける。この構成によると、制限値で、消灯されるが、温度低下すると自動的に再復帰し再点灯することが出来、その都度、交換作業等が不必要であり、メンテナンス作業を軽減できるのである。【００２２】  又はＬＥＤ集積灯具１、又は従来の蛍光灯取付具６０のいずれかに、過剰電流が、所定の制限値を超えると回路を切断するヒューズ１３を設ける。この場合の復旧は、ヒューズ１３の交換作業が必要である。【００２３】  又はＬＥＤ集積灯具１、又は従来の蛍光灯取付具６０のいずれかに、過剰電流が、所定の制限値を超えると回路を切断するアイゼロ（Ｉ０）方式漏電遮断器１４ａを設ける。【００２４】  又はＬＥＤ集積灯具１、又は従来の蛍光灯取付具６０のいずれかに、過剰電流が、所定の制限値を超えると回路を切断するアイジーアール（ＩＧＲ）方式漏電遮断器１４ｂを設ける。
現在は、アイゼロ（Ｉ０）方式漏電遮断器１４ａが、通常使用されており、それを適用することが出来る。
しかるに、アイゼロ（Ｉ０）方式漏電遮断器１４ａは、静電容量（Ｃ成分）と、真の漏電値である（Ｒ成分）の両方のベクトル和を検出するため、正しい漏電値を必ずしも検知しているとは言えない。
それに対し、最近開発されたアイジーアール（ＩＧＲ）方式漏電遮断器１４ｂは、Ｃ成分を除き、真の漏電値であるＲ成分だけを検知できるので、きわめて安全な漏電遮断器であり、本発明のＬＥＤ集積灯具１にきわめて適している。
この場合の復旧は、アイゼロ（Ｉ０）方式漏電遮断器１４ａ、又は、アイジーアール（ＩＧＲ）方式漏電遮断器１４ｂを再復帰させればよい。【００２５】  これらの機能により、過熱事故、漏電事故を防止することによりＬＥＤ灯３を保護することを特徴とするＬＥＤ集積灯具１を提供する。【００２６】  又、それらの制限値、又は設定値は、過剰電流による内部測定温度が７５℃以上〜１６０℃未満で回路を切断し、内部測定温度が、８５℃以下〜７５℃未満に温度低下した時に回路を復活接続する電流制限サーモスタット１２を設ける。
これは内部測定温度が７５℃以上〜１６０℃未満の制限値になるとＬＥＤ灯３が、切れる確率が高くなるためである。
次に、放熱により温度が下がってきて内部測定温度が、８５℃以下〜７５℃未満に温度低下した時に回路を復活接続する電流制限サーモスタット１２を設けている。これは８５℃以下〜７５℃未満に温度低下した時は、ＬＥＤ灯３が、切れる確率、又は寿命低下がきわめて低くなるためである。【００２７】  又は電流値が、０．１アンペア以上〜１．０アンペア未満の制限電流で回路を切断するヒューズ１３を設ける。
又は電流値が、０．１アンペア以上〜１．０アンペア未満の制限電流で回路を切断するアイゼロ（Ｉ０）方式漏電遮断器１４ａを設ける。
又は電流値が、０．００１アンペア以上〜０．８アンペア未満の制限電流で回路を切断するアイジーアール（ＩＧＲ）方式漏電遮断器１４ｂを、設けることにより、過熱事故、漏電事故を防止することによりＬＥＤ灯を保護している。【００２８】  ＬＥＤ灯３は、基板６に取付けられ通電ピン４を介して夫々、直列又は並列に接続されている。
他端の非通電端部７には取付ピン８を設け、従来の蛍光灯取付具６０の通電ソケット６１に挿し込まれるよう構成されるが通電はされない。【００２９】  回路の一部には、ＡＣ／ＤＣ変換器１０、および電圧コントローラ−１１が設けられ、それらを介してＬＥＤ灯には最適な電圧と電流のＤＣ電流が供給されている。
このように構成することにより、従来の蛍光灯取付具６０を交換、又は改造することなく、ＬＥＤ集積灯具１に変更できるため、器具の改造工事を行うことなく容易に切り替えが出来る。【００３０】  又、図１に示すように、従来の蛍光灯取付具６０には、安定器６３が取付けてあるが、ＬＥＤ灯３を有するＬＥＤ集積灯具１は、安定器を必要としないので上下方向を小さくした小型の蛍光灯取付具とすることが出来るのである。
【実施例２】
【００３１】  図２に実施例２の回転式の全体断面図、図３は、そのＡ−Ａ断面図を示す。
実施例２においては、外管２の内側には、保持具２０が外管２に対し回転自在に設けられている。
ＬＥＤ灯３等を取付けた基板６は、該保持具２０の一部に設けられた爪部２０ａにより保持されている。【００３２】  又、保持具２０の一部には、回転用具２１が設けられ、外管２に設けられた開口窓２２を貫通しており、回転用具２１のリング部２１ａを調整棒２３により押し引きすることにより照射角度を調節できるように構成されている。回転用具２１には、シール板２４が取付けられ、塵埃や水等の侵入を防いでいる。【００３３】  図４は、実施例２の通電端部５を取外した状態を示す分解斜視図である。
外管２に対し、通電端部５は、接着、又は嵌合等の手段で強固に取り付けられる。
図５は、実施例２の非通電端部７を取外した状態を示す分解斜視図である。
外管２に対し、非通電端部７も、接着、又は嵌合等の手段で強固に取り付けられる。
【実施例３】
【００３４】  図６に実施例３の磁石回転式の全体断面図、図７はそのＢ−Ｂ断面図を示す。
実施例３においては、前記外管２の内側には、保持具２０が外管２に対し回転自在に設けられている。
ＬＥＤ灯３等を取付けた基板６は、該保持具２０の一部に設けられた爪部２０ａにより保持されている。該保持具２０の一部には、金属、又は磁石等の磁性体２５が設けられ、外管２に開口窓を設けることなく外管２の外表面に、磁石棒２６を近接させ、相互の磁力により押し引きすることにより保持具２０を回転させ、照射角度を調節できる。【００３５】  図８は、実施例３の通電端部５を取外した状態を示す分解斜視図である。
外管２に対し、通電端部５は、接着、又は嵌合等の手段で強固に取り付けられる。
外管２に対し、非通電端部７も、接着、又は嵌合等の手段で強固に取り付けられる。
【実施例４】
【００３６】  図９に実施例４の全体断面図を示し、図１０に図９のＣ−Ｃ断面図を示す。
前記通電端部５が接続された通電ソケット３０と、非通電ソケット３１は、ソケット本体部３２と、内筒部３３とにより構成され、固定されたソケット本体部３２に対し、内筒部３３は、可撓電線３４により電気的に連結され、内筒部３３を回転自在に構成することにより照射角度を調節できることを特徴とするＬＥＤ集積灯具を提供する。
ソケット本体部３２と、内筒部３３は、任意の角度に角度調節後、子ネジ等３５で固定してもよい。
【実施例５】
【００３７】  図１１に実施例５の全体断面図を示す。
前記通電端部５が接続された通電ソケット３６のピン受け部３７は、通電ソケットのソケット本体部３８に対し着脱自在に構成され、可撓電線３４により通電状態を維持したまま、照射位置を変えることが出来ることを特徴とするＬＥＤ集積灯具１を提供する。このように構成することにより、作業時、ＬＥＤ集積灯具１を手で持って、保守点検箇所を照らすことが可能となるため、懐中電灯を持参することなく任意の位置を照射でき、実際の作業現場では、きわめて有効となるためである。
【実施例６】
【００３８】  図１２に実施例６の全体断面図を示す。
前記通電端部５が接続された通電ソケット３９のピン受け部４０は、通電ソケット３９のソケット本体部４１に対し旋回自在に構成され、ピン受け部４０は、ソケット本体部４１と通電状態を維持したまま、照射位置を変えることが出来ることを特徴とするＬＥＤ集積灯具１を提供する。非通電端部の取付ピン８を抜き、ピン受け部４０を、ソケット本体部４１に対し旋回させることにより、実施例５と同様に、近接する保守点検箇所を照射することが出来るため、懐中電灯を持参することなく任意の位置を照射でき、実際の作業現場では、きわめて有効となるためである。
【実施例７】
【００３９】  次に図１３に実施例７の全体断面図を示す。
合成樹脂製、又はガラス製の光を透過する外管２の内部に、ＬＥＤ灯３を１個以上複数個設けた一体化されたＬＥＤ集積灯具において、
ＬＥＤ集積灯具１は、対象部位の明るさを計測する照度計４５と連結され、目的とする明るさに対し、照度の不足する分だけ電流または電圧を調整し、明るさを確保するコントローラー４６が設けられている。
照明範囲の明るさが十分な場合は省エネルギーのため発光ダイオード３の照度を減らし、夜間等で、光量が不足した時は、その度合に応じた照度とすることが出来る。
この機能により省エネルギーを極めて効率的にできる画期的システムを提供することが出来る。
【実施例８】
【００４０】  図１４と図１５に本実施例の分解斜視図を示す。
図１４においては、従来の蛍光灯取付具６０の従来の通電ソケット６１を取外し、図１５に示す如く、二口の複数口取付具４７の下部挿込み部４７ａを従来の蛍光灯取付具６０に取付け、更に二つの夫々の通電ソケット４８をその上部挿込み部４７ｂに挿込み、二つのＬＥＤ集積灯具１を並列、又は直列に、連結するように構成されている。この構成においては、一つの従来の蛍光灯取付具６０に対し二つのＬＥＤ集積灯具１を取付けることが可能となる。【００４１】  通常、ＬＥＤ灯３を有するＬＥＤ集積灯具１は、従来の蛍光灯に対し、同一光量で１／３〜１／４の消費電力で良いため、建物の受電容量に対し十分な余裕が取れるため灯数を増加することが可能となる。
図１４と図１５は、２灯の例を示しているが三口取付具、四口取付具等の複数口取付具４７により、３灯以上のＬＥＤ集積灯具１を並列、又は直列に取付けることが出来、実用上従来の蛍光灯取付具６０を取り替えることなく、建物内の配線を改造することなく、通電ソケットの交換だけで光量を増加することが出来るきわめて工事費の安い構造を提供するものである。
【実施例９】
【００４２】  図１６に実施例９の断面詳細図を示す。
本実施例においては、ＬＥＤ灯３は、曲面基板５０に取付けられている。曲面基板５０は、保持具５１の爪部５１ａにより保持され、前述の回転式、その他の実施例と同様に照射角度を調節できるように構成されている。
曲面基板５０の形態とすることにより広範囲の照射角度を得ることが出来、照射範囲を拡大することが出来る。
【実施例１０】
【００４３】  図１７に実施例１０の断面詳細図を示す。
本実施例においては、ＬＥＤ灯３３は、多角形基板５２に取付けられている。多角形基板５２は、保持具５３により保持され、前述の回転式、その他の実施例と同様に照射角度を調節できるように構成されており、多角形基板５２の形態とすることにより広範囲の照射角度を得ることが出来、照射範囲を拡大することが出来る。
【実施例１１】
【００４４】  加えて、図１７には、請求項１１に記載するように、ＬＥＤ灯３の端子３ａは、金属製、又は導電性樹脂製の可撓性を有する可撓部材５４に接触して通電可能に構成されている。金属製の可撓部材５４の場合は、金属片の弾性により両面から挟まれて固定され、導通状態を構成する。
又、最近、きわめて発達してきている導電性樹脂製の可撓部材５４では、可撓性を有する導電性樹脂材を充填したり、又、接着剤のように端子３ａに塗布、又は吹付けることにより固定され、導通状態を構成することが出来る。
これらの構成では、発光ダイオード３の端子３ａは、基板にロー付け、又は溶接取付することなく取付けられるので、きわめて能率的に取付け取外しが可能となるのである。
この構成は、他の実施例１〜１０にも適用できるものである。
【実施例１２】
【００４５】  本実施例１２は、最近極めて発達してきた蓄光体を活用することにより、ＬＥＤ灯の消燈時、又は減光時に、明るさを補うことより室内における非常時の非常灯、及び／又は避難誘導灯としての利便性を高めたものである。【００４６】  蓄光体は、最近発達してきた高輝度のアルミン酸ストロンチウム蓄光体等を使用する。これは、従来からの硫化亜鉛系蓄光体は、発光が暗い、発光時間が短いといった欠点があったのに対し、その１００倍近い蓄光を発揮し、暗闇では８時間以上の持続性を持ち、屋外でも使用可能である。【００４７】  化学組成が、アルミン酸ストロンチウム＋ユウロビウム＋ジスプロシウム等で構成される。暗闇で発光、次第に暗くなってくる性質をもっているが、励起すると再び光り出し、光の照射→発光→光の照射→発光を何回でも半永久的に繰り返すことができる。放射性物質を含まない安全で、環境に考慮された物質である。その製作は、ＪＩＳＺ９１０７に準拠し製作されている。
その１例として能登プロワークス株式会社（登録商標）製の商品名「ライティブコート」（登録商標）等が、その適合例である。【００４８】  図１８、図１９、図２０に示す実施例は、外管２の内部に蓄光体を練りこんで、透明性又は半透明性を確保しながら蓄光作用を発揮する蓄光外管１００を構成するものである。
図１８は、その全体断面図であり、図１９は長手方向に直角な断面図であり、図２０は一部を切り欠いた全体斜視図である。【００４９】  このように構成することにより、蓄光外管１００が、ＬＥＤ灯３の照射を受け発光し、ＬＥＤ灯の消燈時、又は減光時に、明るさを補うことより室内等における非常時の非常灯、及び／又は避難誘導灯としての利便性を高めたものである。【００５０】  又、別の実施形態としては、図２１、図２２、図２３に示すように外管２の内周に蓄光フィルム１０１を配置し、張付、挿入、若しくは印刷、塗布等により設けた構造とすることにより、透明性又は半透明性を有する蓄光フィルム１０１により蓄光作用を発揮するものである。【００５１】  図２１は、その全体断面図であり、図２２は長手方向に直角な断面図であり、図２３は一部を切り欠いた全体斜視図である。この実施例の特徴は、従来からの外管２を交換することなく効果が発揮できることである。【００５２】  又、別の実施形態としては、図２４、図２５、図２６に示すように外管２の外面に、蓄光フィルム１０２、１０２ａ、１０２ｂを外接配置し、張付、若しくは印刷、塗布等により設けた構造とすることにより、ＬＥＤ灯の消燈時、又は減光時に、明るさを補うことより室内における非常時の非常灯、及び／又は避難誘導灯としての利便性を高めることができる。蓄光フィルム１０２の形態は、図２４、図２５に示す如く、外管２の外面の一部に、該蓄光フィルム１０２を外接配置したものである。【００５３】  又、図２６に示す蓄光フィルム１０２ａ、１０２ｂは、透明フィルム１０４を外接配置し、その一部に、蓄光フィルム１０２ａ、１０２ｂを設けたものである。
特に蓄光フィルム１０２ａは、ＬＥＤ集積灯具１の長手方向の避難方向を矢印等で示すものであり、又、蓄光フィルム１０２ｂは、ＬＥＤ集積灯具１の長手方向に対し直角方向の避難方向を矢印等で示すものである。【００５４】  又、別の実施形態としては、図２７、図２８、図２９に示すように、基板６の上面に蓄光体被膜１０３を配置し、印刷、塗布、張付等により基板６に固定した構造とすることにより、ＬＥＤ灯３の照射を受け発光し、ＬＥＤ灯の消燈時、又は減光時に、明るさを補うことにより室内等における非常時の非常灯、及び／又は避難誘導灯としての利便性を高めたものである。【００５５】  図２７は、その全体断面図であり、図２８は長手方向に直角な断面図であり、図２９は一部を切り欠いた全体斜視図である。この実施例の特徴は、基板６を交換することなく、その表面に蓄光体被膜１０３を配置することにより、従来からの外管２の透明性を確保しながら効果が発揮できることである。
【実施例１３】
【００５６】  本実施例１３は、最近極めて発達してきたものに、リン酸チタニア系無光触媒がある。これは、光触媒酸化チタン開発により、それをリン酸と反応させたもので、光を全く必要とせず、暗所においても、消臭、抗菌、防かび、防曇、防汚染等の環境改善機能を発揮するものである。また、帯電防止効果も有している。【００５７】  リン酸チタニアの空間触媒効果は、空気中に含まれる酸素や、水分と反応を起こし、活性酸素と呼ばれる・ＯＨ（水酸化ラジカル）、Ｏ−（スーパーオキサンドアニオン）を生成する。この活性酸素は、強力な酸化力があり、汚れ、臭い、細菌の元となる有機物を分解する。
そのためリン酸チタニア系無光触媒は、ホルムアルデヒド、ＶＯＣ（揮発性有機化合物）、硫化水素、アセトアルデヒド等の分解効果により、シックハウス対策やシックスクール対策、室内空気の清浄化、又は防汚対策等の目的で、建築の壁面や、天井面、家具等に適用することが発表され、一部実用に供されてきた。しかるに、これらの効果を更に広い範囲に拡張し、効果を高める方法が期待されてきた。【００５８】  本発明は、その効果を大きく高めるため、灯具及び／又は灯具取付具に、無光触媒を適用することが極めて望ましい相乗効果を発揮することを発見した。
蛍光灯やＬＥＤ灯等の灯具、及び／又は灯具取付具は、点灯時には、熱を発生するので、空気中に、活発な対流が発生し、この拡散効果により、前述の環境改善効果を、効果的に付与できる画期的な灯具を開発することができた。【００５９】  但し、通常の蛍光灯においては、蛍光管、及び反射板は、短時間の点灯でも、発熱が多いため高温となり、通常の蛍光管、及び反射板にリン酸チタニア系無光触媒を塗布するとその高温のため水分が減少するため、高温では、効果が減少してしまったり、寿命が短くなったり、熱変化で変質する可能性がある等の欠点を有していた。【００６０】  それに対し、本発明は、高温になることが無く、適度の発熱があるＬＥＤ灯や、ＬＥＤ集積灯具、及び／又は、それらの取付具に、リン酸チタニア系無光触媒（以下「無光触媒」という）を適用することで、上記欠点のない最適な構成を達成したものである。【００６１】  本実施例の構成を図面に従って説明する。
図３０は、本実施例の１例を示す全体断面図である。
図３１は、図３０のＤ−Ｄ断面図である。
図３２は、図３０の灯具の一部を切り欠いた断面斜視図である。【００６２】  灯具取付具６０には、通常、反射板６０ａが設けられている。
ＬＥＤ集積灯具１を点灯すると、基板６や、外筒２に、点灯抵抗による熱が発生する。外筒２の外表面には、無光触媒層１１０が塗布、スプレー、接着等の方法により設けられている。図３１では、光の透過しない上部に無光触媒層１１０を設けたものである。
加えて、反射板６０ａの表面にも無光触媒層１１０を設けることができる。
図３２は灯具に設けられた無光触媒層１１０を示す一部を切り欠いた断面斜視図である。【００６３】  また、無光触媒は透明であるため、図３３は、無光触媒層１１０をＬＥＤ集積灯具１の、光を透過する透光部を含めて設けられたもので、無光触媒層１１０は、光を透過するように構成されている。【００６４】  図３４に示すＬＥＤ集積灯具１は、上部部分を、通常「ヒートシンク」と呼ばれる金属性等の放熱板１１１で構成した形態を示す。この放熱板には通常ＬＥＤ集積灯具１の内部の発生熱を外気に放出する通気口１１１ａが、設けられている。
前記放熱板１１１の外側には、同様に無光触媒層１１０が塗布、スプレー、接着等の方法により設けられている。
図３５は、図３４のＬＥＤ集積灯具１に設けられた無光触媒層１１０を示す一部を切り欠いた断面斜視図である。【００６５】  図３６は、ダウンライト型ＬＥＤ灯具１１２に適用したものである。ダウンライト型ＬＥＤ灯具１１２の外周には、放熱板１１３が設けられている。
ダウンライト型ＬＥＤ灯具１１２は、通常天井や、壁等に設けられたダウンライト取付具１１４が設けられている。
本実施例においては、放熱板１１３の表面、及び／又はダウンライト取付具１１４の表面、及び／又は、ＬＥＤ灯３の表面に、無光触媒層１１０が設けられている。【００６６】  実施例１３の灯具においては、一定時間の点灯により、ＬＥＤ集積灯具１又は、ダウンライト型ＬＥＤ灯具１１２が発熱すると、その周辺に熱による対流が発生することにより無光触媒の効果を広い範囲で発揮することができ、その環境の改善に大幅な効果を発揮することができる複合効果のあるＬＥＤ灯具を提供することができた。
加えて、無光触媒の効果は、非点灯時も、持続して効果を発揮できる機能を有している。【００６７】  本実施例の例示としてＬＥＤ集積灯具１又は、ダウンライト型ＬＥＤ灯具１１２を示したが、別の形態のＬＥＤ灯具に適用することも含むものである。【００６８】    また、前述の実施例には、灯具、及び／又は灯具取付具の各部の表面全体でなく、それらの一部だけに、設けることを含むものである。
【産業上の利用可能性】
【００６９】  本発明の活用例としては、以上説明したように、ＬＥＤ集積灯具による省電力効果は、極めて大きく、更に、最近重要視されている無光触媒による環境改善効果も加え、現代の地球的課題である温暖化防止に大きく寄与できると共に、新商品による産業の発展にも貢献できるきわめて実用的な発明である。
【符号の説明】
【００７０】１      ＬＥＤ集積灯具
２      外管
３      ＬＥＤ灯
３ａ    端子
４      通電ピン
５      通電端部
６      基板
７      非通電端部
８      取付ピン
１０    ＡＣ／ＤＣ変換器
１１    電圧コントローラー
１２    電流制限サーモスタット
１３    ヒューズ
１４ａ    アイゼロ（Ｉ０）方式漏電遮断器
１４ｂ    アイジーアール（ＩＧＲ）方式漏電遮断器
２０    保持具
２０ａ    爪部
２１    回転用具
２１ａ    リング部
２２    開口窓
２３    調整棒
２４    シール板
２５    永久磁石
２６    磁石棒
３０    通電ソケット
３１    非通電ソケット
３２    ソケット本体部
３３    内筒部
３４    可撓電線
３５    子ネジ等
３６    通電ソケット
３７    ピン受け部
３８    ソケット本体部
３９    通電ソケット
４０    ピン受け部
４１    ソケット本体部
４５    照度計
４６    コントローラー
４７    複数口取付具
４７ａ    下部挿込み部
４７ｂ    上部挿込み部
５０    曲面基板
５１    保持具
５１ａ    爪部
５２    多角形基板
５３    保持具
５４    可撓部材
６０    蛍光灯取付具
６０ａ    反射板
６１    通電ソケット
６２    電源
６３    安定器
１００  蓄光外管
１０１  蓄光フィルム
１０２、１０２ａ、１０２ｂ  蓄光フィルム
１０３  蓄光体被膜
１０４  透明フィルム灯具
１１０  無光触媒層
１１１  放熱板
１１１ａ  通気口
１１２  ダウンライト型ＬＥＤ灯具
１１３  放熱板
１１４  ダウンライト取付具
【図１】
2011086602.tif 000003
【図２】
2011086602.tif 000004
【図３】
2011086602.tif 000005
【図４】
2011086602.tif 000006
【図５】
2011086602.tif 000007
【図６】
2011086602.tif 000008
【図７】
2011086602.tif 000009
【図８】
2011086602.tif 000010
【図９】
2011086602.tif 000011
【図１０】
2011086602.tif 000012
【図１１】
2011086602.tif 000013
【図１２】
2011086602.tif 000014
【図１３】
2011086602.tif 000015
【図１４】
2011086602.tif 000016
【図１５】
2011086602.tif 000017
【図１６】
2011086602.tif 000018
【図１７】
2011086602.tif 000019
【図１８】
2011086602.tif 000020
【図１９】
2011086602.tif 000021
【図２０】
2011086602.tif 000022
【図２１】
2011086602.tif 000023
【図２２】
2011086602.tif 000024
【図２３】
2011086602.tif 000025
【図２４】
2011086602.tif 000026
【図２５】
2011086602.tif 000027
【図２６】
2011086602.tif 000028
【図２７】
2011086602.tif 000029
【図２８】
2011086602.tif 000030
【図２９】
2011086602.tif 000031
【図３０】
2011086602.tif 000032
【図３１】
2011086602.tif 000033
【図３２】
2011086602.tif 000034
【図３３】
2011086602.tif 000035
【図３４】
2011086602.tif 000036
【図３５】
2011086602.tif 000037
【図３６】
2011086602.tif 000038